(57)【特許請求の範囲】
【請求項１】
什器本体の内部と外部を連通する配線用開口部を通ってコードが配線される什器であって、
前記什器本体に、前記配線用開口部を１つ又は２つ以上設け、
前記什器本体に設けた前記配線用開口部内に、前記コードを当該コードの長手方向に移動可能に保持するコード保持部材を前記１つの配線用開口部に対して１つ又は２つ以上設け、
前記コード保持部材が、前記コードの外部側の先端に設けられたコネクタ又は前記コードの外周に取り付けられた取付部材に接触して前記コードの抜け落ちを防止し得る形状に形成され、
前記コネクタ又は前記取付部材が前記コード保持部材に接触して前記コードの抜け落ちが防止された状態で前記コネクタが前記配線用開口部から外部に突出するか又は前記配線用開口部内に位置されるように前記コード保持部材を配置したことを特徴とする什器。
【請求項２】
什器本体の内部と外部を連通する配線用開口部を通ってコードが配線される什器であって、
前記什器本体に、前記配線用開口部を１つ又は２つ以上設け、
前記什器本体に設けた前記配線用開口部内に、前記コードを当該コードの長手方向に移動可能に保持するコード保持部材を前記配線用開口部に対して平行に移動可能に設け、
前記コード保持部材が、前記コードの外部側の先端に設けられたコネクタ又は前記コードの外周に取り付けられた取付部材に接触して前記コードの抜け落ちを防止し得る形状に形成され、
前記配線用開口部を、上面から見たとき、前記コード保持部材が移動し得る前記天板の箇所にスリット状に形成し、
前記コネクタ又は前記取付部材が前記コード保持部材に接触して前記コードの抜け落ちが防止された状態で前記コネクタが前記配線用開口部から外部に突出するか又は前記配線用開口部内に位置されるように前記コード保持部材を配置したことを特徴とする什器。
【請求項３】
什器本体の内部と外部を連通する配線用開口部を通ってコードが配線される什器であって、
前記什器本体に、前記配線用開口部を１つ又は２つ以上設け、
前記什器本体に設けた配線用開口部内に、当該什器本体の配線用開口部に対して平行に移動可能で上面から見たとき当該移動方向に対して直交する方向に長い矩形状の移動体を設け、
この移動体の矩形状の四隅近傍の４箇所に、前記コード保持部材をそれぞれ取り付け、
前記コード保持部材が、前記コードの外部側の先端に設けられたコネクタ又は前記コードの外周に取り付けられた取付部材に接触して前記コードの抜け落ちを防止し得る形状に形成され、
前記配線用開口部を、上面から見たとき、前記移動体の移動方向と平行な側に設けた前記４つのコード保持部材の移動方向に沿った前記天板の２箇所にスリット状に形成し、
前記コネクタ又は前記取付部材が前記コード保持部材に接触して前記コードの抜け落ちが防止された状態で前記コネクタが前記配線用開口部から外部に突出するか又は前記配線用開口部内に位置されるように前記コード保持部材を配置したことを特徴とする什器。
【請求項４】
什器本体の内部と外部を連通する配線用開口部を通ってコードが配線される什器であって、
前記什器本体の天板に、当該什器本体内に手を挿入し得る大きさの開口を設け、
前記開口の一部を取り外し可能な蓋で覆って前記コードが通る程度の寸法で形成されている前記配線用開口部を設け、
前記什器本体に設けた前記配線用開口部内に、前記コードを当該コードの長手方向に移動可能に保持するコード保持部材を前記１つの配線用開口部に対して１つ又は２つ以上設け、
前記コード保持部材が、前記コードの外部側の先端に設けられたコネクタ又は前記コードの外周に取り付けられた取付部材に接触して前記コードの抜け落ちを防止し得る形状に形成され、
前記コネクタ又は前記取付部材が前記コード保持部材に接触して前記コードの抜け落ちが防止された状態で前記コネクタが前記配線用開口部から外部に突出するか又は前記配線用開口部内に位置されるように前記コード保持部材を配置したことを特徴とする什器。
【請求項５】
前記開口から手を挿入して接し得る前記什器本体の箇所に、前記コードが接続される機器を置けるトレイが設けられている請求項４に記載の什器。
【請求項６】
前記什器本体の天板の嵌合穴に嵌合され、手を挿入し得る幅の開口を形成する細長矩形筒体状の枠体と、この枠体に、開口内を開口の長手方向に移動可能に設けられる移動体と、前記移動体に取り付けられる前記コード保持部材と、前記開口の一部を取り外し可能に覆って前記コードが通る程度の寸法の前記配線用開口部を形成するための蓋とでコード取出ユニットを形成し、このコード取出ユニットが前記ターミナル本体の天板に１つ又は２つ以上設けられている請求項１〜５のいずれか１項に記載の什器。
【発明の詳細な説明】
【技術分野】
【０００１】
本発明は、什器本体の内部と外部を連通する配線用開口部を通ってコードが配線される什器に関するものである。
【背景技術】
【０００２】
病院や介護施設等、特に入院設備のある病院では、床面上を移動可能なナースカートが利用されている。ナースカートは、非回診時に例えば什器であるカートターミナルの周囲に置かれ、回診時に病室等に移動させて利用されており、カルテなどの電子化に伴う情報端末等の電子機器例えばノートブック型パーソナルコンピュータ（以下、「ノートパソコン」という。）が載置され、回診や体温などのデータ等をノートパソコンにその場で入力していることが多い。ノートパソコンを載置したナースカートをカートターミナルに戻したときに、ノートパソコンの充電を行うようにしている。すなわち、カートターミナルは、ノートパソコンの充電用のアダプタがカートターミナルの内部に収容され、このアダプタのコネクタをカートターミナルの上部に設けられている配線用開口部から上方に引き出してノートパソコンに接続することにより、ノートパソコンが充電されるようになっている。
【先行技術文献】
【特許文献】
【０００３】
【特許文献１】特開２００９−１７９７２号公報
【発明の概要】
【発明が解決しようとする課題】
【０００４】
ところで、前述のカートターミナルでは、アダプタのコネクタを、カートターミナルの上部の配線用開口部から上方に引き出した状態でノートパソコンの充電を行うが、配線用開口部の大きさがコネクタが通る大きさに形成されている場合、充電を行わないときにコネクタをカートターミナルの上面に置いておくと、コネクタとコネクタに接続されるコードの自重によりコード及びコネクタが配線用開口部からカートターミナル内に落ちてしまうことがある。その結果、次にノートパソコンの充電を行う場合、カートターミナル内に落ちたコネクタを見つけ出し配線用開口部から上方に突出させるようにコネクタ及びコードをカートターミナル内で移動させなければならず、特に配線用開口部からカートターミナル内に手を挿入できない場合には、カートターミナルの前面のパネルを外したりしなければならず手間のかかる作業となった。
本発明が解決しようとする課題は、配線用開口部を通って配線されるコードの先端に設けられているコネクタの配線用開口部から本体内への落下を防止することにある。
【課題を解決するための手段】
【０００５】
前記課題を解決するため、本発明に係る什器は、什器本体の内部と外部を連通する配線用開口部を通ってコードが配線される什器であって、
前記什器本体に、前記配線用開口部を１つ又は２つ以上設け、
前記什器本体に設けた前記配線用開口部内に、前記コードを当該コードの長手方向に移動可能に保持するコード保持部材を前記１つの配線用開口部に対して１つ又は２つ以上設け、
前記コード保持部材が、前記コードの外部側の先端に設けられたコネクタ又は前記コードの外周に取り付けられた取付部材に接触して前記コードの抜け落ちを防止し得る形状に形成され、
前記コネクタ又は前記取付部材が前記コード保持部材に接触して前記コードの抜け落ちが防止された状態で前記コネクタが前記配線用開口部から外部に突出するか又は前記配線用開口部内に位置されるように前記コード保持部材を配置したことを特徴とする。
【０００６】
これにより、コードがコード保持部材によって移動可能に保持され、かつ、このコードのコネクタが配線用開口部から什器本体内に落ちることもなく外部に突出するか又は配線用開口部内に位置されるので、配線用開口部を通って配線されるコードの先端に設けられているコネクタの配線用開口部から本体内への落下を防止することができる。
【０００７】
この場合において、コード保持部材を、什器本体の天板に対して平行に移動可能に設け、配線用開口部を、上面から見たとき、コード保持部材が移動し得る天板の箇所にスリット状に形成することができる。また、什器本体に、什器本体の天板に対して平行に移動可能で上面から見たとき当該移動方向に対して直交する方向に長い矩形状の移動体を設け、この移動体の矩形状の両側部のそれぞれの両端の近傍の合計４箇所に、コード保持部材をそれぞれ取り付け、配線用開口部を、上面から見たとき、４つのコード保持部材のうち２つが移動し得る箇所と残りの２つが移動し得る箇所の天板の２箇所にスリット状に形成することができる。
【０００８】
また、この場合において、什器本体の天板に、当該什器本体内に手を挿入し得る大きさの開口を設け、配線用開口部を、開口の一部を取り外し可能な蓋で覆ってコードが通る程度の寸法で形成することができる。この開口から手を挿入して接し得る什器本体の箇所に、コードが接続される機器を置けるトレイを設けることができる。
また、什器本体の天板の嵌合穴に嵌合され、手を挿入し得る幅の開口を形成する細長矩形筒体状の枠体と、この枠体に、開口内を開口の長手方向に移動可能に設けられる移動体と、移動体に取り付けられるコード保持部材と、開口の一部を取り外し可能に覆ってコードが通る程度の寸法の配線用開口部を形成するための蓋とでコード取出ユニットを形成し、このコード取出ユニットをターミナル本体の天板に１つ又は２つ以上設けることができる。
【０００９】
本発明によれば、配線用開口部を通って配線されるコードの先端に設けられているコネクタの配線用開口部から本体内への落下を防止することができる。
【図面の簡単な説明】
【００１０】
【図１】本発明に係る実施形態の一例の什器であるカートターミナルを示す斜視図である。
【図２】本実施形態のカートターミナルの要部を示す平面図である。
【図３】本実施形態のカートターミナルを示す図で、（ａ）は正面図、（ｂ）は側面図である。
【図４】図３（ａ）中のＡ−Ａ線矢視断面図である。
【図５】本実施形態のカートターミナルの要部を示す斜視図である。
【図６】本実施形態のカートターミナルの天板に枠体及び移動体を取り付けるための工程図で、（ａ）は分解斜視図、（ｂ）は枠体を天板に取り付けた状態を示す斜視図、（ｃ）は枠体に移動体の第２金具を係合した状態を示す斜視図、（ｄ）は第２金具に第１金具を取り付け移動体を形成した状態を示す斜視図である。
【図７】本実施形態のカートターミナルに用いられる移動体を示す図で、（ａ）は斜視図、（ｂ）は移動体を形成する第１金具を示す平面図、（ｃ）は移動体を形成する第１金具を示す側面図、（ｄ）は移動体を形成する第１金具を示す正面図である。
【発明を実施するための形態】
【００１１】
以下、本発明に係るカートターミナルの一実施形態を添付図面に基づいて説明する。図１〜図４に示すように、本実施形態の什器は、什器本体の内部と外部を連通する配線用開口部１０を通ってコード１８が配線されるものである。什器としては、什器本体の内部と外部を連通する配線用開口部１０を通ってコード１８が配線されるものであれば特に限定されず、一例としてカートターミナル１が挙げられる。カートターミナル１は、病院や介護施設等において利用されているナースカートに載置された情報端末などの電子機器等を取り扱うことができるようにしたもので、床面Ｆ上に設置される什器本体であるターミナル本体１ａを備えている。ターミナル本体１ａは、例えば、床面Ｆ上に設置されるフレーム２と、フレーム２の上方に取り付けられている天板３とを備えている。
【００１２】
フレーム２は、一対の脚フレーム２１と、一対の脚フレーム２１を連結する梁フレーム２４と、前面と後面を覆う前面パネル２６及び後面パネル２７とを備えている。
一対の脚フレーム２１は、床面Ｆに対して平行に延びるベースフレーム２２と、ベースフレーム２２の中央部から上方に延びる細長の垂直フレーム２３とから略逆Ｔの字状に形成されている。ベースフレーム２２の下面の両端部近傍には、ストッパ２９がそれぞれ設けられている。垂直フレーム２３は、略細長矩形筒体状に形成され、上端はカバー２３ａによって閉塞されている。一対の脚フレーム２１は、互いに間隔をあけて対向した状態で例えば各垂直フレーム２３の４角近傍がそれぞれ梁フレーム２４で連結されて、フレーム体２０が形成される。下方の２つの梁フレーム２４は、２本の補強フレーム２５で連結されている。フレーム体２０の前面には、幅方向の中央部から左右に分かれる２つの前面パネル２６が取り外し可能に取り付けられている。フレーム体２０の後面には、後面パネル２７が取り付けられている。フレーム体２０の垂直フレーム２３の内面の幅方向の中央部には、高さ方向に延びるスリット状の貫通部２４ｂが設けられている。貫通部２４ｂは、例えば、垂直フレーム２３の略中央部と下端部の間の略中央部から略中央部と上端部の間の略中央部までの長さで幅がＯＡタップ１５のコンセント１５ｂが通り得る寸法で形成されている。
【００１３】
また、フレーム体２０内には、トレイ４が設けられている。トレイ４は、例えば、一端がフレーム体２０の後面側に取り付けられて水平方向の前面側に延びる水平部４ａと、水平部４ａの前側の他端を上方に略直角に折り曲げてなる垂直部４ｂとから断面Ｌ字状に形成されている。水平部４ａの前後方向の長さは、トレイ４（水平部４ａ）上にＯＡタップ１５や電子機器であるノートパソコンの充電用のアダプタ１６、ノートパソコンに接続を行う充電器以外の機器を十分に置ける寸法で形成されていることが好ましい。また、水平部４ａの左右方向の長さは、枠体６の開口６０の左右方向の長さより長い寸法で形成されていることが好ましい。具体的には例えば、トレイ４は、ＯＡタップ１５、充電用のアダプタ１６、充電器以外の機器等を置ける大きさであって、上面から見たとき、枠体６の開口６０の全部又は略全部と重なり合う大きさの矩形状に水平部が形成されてなることが好ましい。トレイ４は、フレーム体２０内に枠体６の開口６０に対してそれぞれ１段でも２段以上配置してもよく図示例では間隔をあけて２段設けられている（図３参照。）。上段のトレイ４は、枠体６の開口６０から手を挿入して接し得る箇所に配置されていることが好ましい。なお、トレイ４を１段設ける場合には、このトレイ４を５の枠体６の開口６０から手を挿入して接し得る箇所に配置することが好ましい。
【００１４】
フレーム体２０の上方には、天板３が取り付けられている。天板３は、例えば木製の細長の矩形平板状に形成されている。天板３の前後方向の長さは、垂直フレーム２３の前後方向の長さと略同じ寸法で形成されている。天板３の幅（前後方向と直交する方向の長さ）は、フレーム体２０の一対の垂直フレーム２３の間隔と略同じ寸法で形成されている。天板３には、配線用開口部１０を形成するための嵌合穴３１が設けられている。嵌合穴３１は、例えば、天板３の長手方向に長い細長の略矩形状に形成されている。嵌合穴３１は、天板３に間隔をあけて例えば２つ設けられている。なお、嵌合穴３１の天板に対する個数は、図示例では２つであるが、これに限定されず、１つでも３つ以上でもよい。嵌合穴３１の位置は、特に限定されないが、例えば、天板３の長手方向の中央と両端との間の略中央を中央になるように位置されている。天板３の裏面の嵌合穴３１の両端（嵌合穴３１の長手方向の両端）近傍には、図５及び図６に示すように、嵌合穴３１に嵌合された枠体６を載置した状態で取り付ける取付部材３２がそれぞれ設けられている。
【００１５】
取付部材３２は、天板３の裏面にビス等により取り付けられる天板取付部３２ａと、天板取付部３２ａから嵌合穴３１内を上方に若干延びてから嵌合穴３１内を水平方向に延びさらに下方に延びる断面コ字状に形成された枠体取付部３２ｂとからなる。天板取付部３２ａは、例えば、長手方向の長さが嵌合穴３１の前後方向の長さより長い矩形状の板部の両側を天板３の裏面側に略直角に曲げた断面コ字状に形成されている。天板取付部３２ａは、一方の側部の中央部が嵌合穴３１の端部の下方に位置されるように天板３の裏面に取り付けられるようになっている。この天板取付部３２ａの嵌合穴３１の下方に位置される側部の一部が枠体取付部３２ｂとして形成されている。
【００１６】
枠体取付部３２ｂは、天板３の前後方向の長さが、嵌合穴３１の前後方向の長さより短い例えば若干短い寸法で形成されてなる。枠体取付部３２ｂの水平部の嵌合穴３１の長手方向の長さは、枠体６を載置した状態で取り付けることができる範囲から任意に設定される。この枠体取付部３２ｂの水平部には、２つのネジ穴３２ｃが設けられている。また、枠体取付部３２ｂの嵌合穴３１内を水平方向に延びてから下方に延びる外側の角部がＲに形成されている。これにより、この角部に配線用開口部１０を通したコード１８が接触したとしてもＲに形成されているので、コード１８を傷つけることがないようになっている。
【００１７】
枠体６は、例えば金属製の２つの細長の側枠６１とこれら２つの側枠６１の両端をそれぞれ連結する２つの端枠６２とから略細長矩形筒体状に形成されている。側枠６１は、外面となる側が開口された断面略コ字状に形成されている。側枠６１の上片（コ字状の上側の側部である片）６１ａの先端が天板３の嵌合穴３１の縁を覆い隠すように延びて形成されている（特に図４参照。）。側枠６１の下片（コ字状の下側の側部である片）６１ｃの先端が下方に略直角に折り曲げられて垂直片６１ｄとして形成されている。この垂直片６１ｄの下端が枠体６の内側に略直角に折り曲げられてスライド片６１ｅとして形成されている。スライド片６１ｅの前後方向の長さは、下片６１ｃの前後方向の長さより短い例えば略半分の寸法で形成されている。すなわち、枠体６の下片６１ｃと垂直片とスライド片６１ｅは、断面略コ字状に形成されている。また、側枠６１のコ字状の基部である基片６１ｂの外側面の高さ方向の略中央部には、例えば、半円より大きな円弧（優弧）状の取付部６１ｆが枠体６の長手方向に延びて形成されている。
【００１８】
端枠６２は、側枠６１の上片６１ａ、基片６１ｂ、下辺６１ｃの端部を覆う大きさの略矩形平板状に形成されている。端枠６２の上端は、天板３の嵌合穴３１の縁を覆い隠すように外側に略直角に折り曲げられて断面略Ｌ字状に形成されている。端枠６２の両側近傍には、２つの側枠６１の取付部６１ｆに対応する位置に貫通穴が設けられている。これにより、２つの側枠６１を互いに間隔をあけて平行に配置し、これら側枠６１の両端部に端枠６２を接触させて端枠６２の貫通穴から例えばビス等の螺合部材を挿入して側枠６１の取付部６１ｆに螺合させることによって、嵌合穴３１に嵌合される略細長矩形筒体状の枠体６が形成されるようになっている。また、枠体６は、枠体６の両端部の下方の下片６１ｃと垂直片６１ｄとスライド片６１ｅで形成される空間に後述する第２受け具７２を枠体６の両端部から挿入し得るようになっている。
【００１９】
枠体６内の細長矩形状の開口６０の前後方向の長さは、手を挿入し得る寸法で形成されていることが好ましく、例えば、一例として約70mmで形成されている。この開口６０の長さ（枠体６の長手方向の長さ）は、特に限定されず、任意に設定され、例えば、一例として約400mmで形成されている。また、端枠６２の下方には、枠体６が嵌合穴３１に嵌合されたとき、天板３の裏面に取り付けられた取付部材３２の枠体取付部３２ｂの水平部に載置される底片６２ａが水平方向に延びて形成されている。底片６２ａの枠体６の長手方向の長さは、枠体取付部３２ｂの水平部に載置されたとき、先端部が水平部の端部より若干内側に位置される寸法で形成されている。底片６２ａの先端部の中央部には、略直角に上方に折り曲げられた位置決め部６２ｂが設けられている。また、取付部材３２の枠体取付部３２ｂの２つのネジ穴３２ｃに対応する底片６２ａの２箇所には、貫通穴６２ｃが設けられており、枠体６が嵌合穴３１に嵌合されて枠体６の端枠６２が取付部材３２の枠体取付部３２ｂに載置された状態で、例えば、ビス１２を端枠６２の貫通穴６２ｃから挿入して取付部材３２の枠体取付部３２ｂのネジ穴３２ｃに螺合させて締め付けることで、枠体６が天板３に固定された状態で取り付けられるようになっている（図６（ａ）及び（ｂ）参照。）。この枠体６に移動体７が枠体６の長手方向に移動可能に設けられている。
【００２０】
移動体７は、枠体６に移動可能に設けられるならばその構成は特に限定されず、例えば、図４〜図７に示すように、第１受け具７１と第２受け具７２とからなる。第１受け具７１は、例えば金属製で枠体６の前後方向（以下、単に「前後方向」ということがある。）に長い水平方向に延びる矩形板状の上板７１ａと、上板７１ａの両側部から下方に延びる前後方向に長い細長の矩形平板状の側板７１ｂとから断面コ字状に形成されている。両側板７１ｂの下端が、互いに対向する側に略直角に断面Ｌ字状に折り曲げられている。上板７１ａの前後方向及び幅方向の略中央部には、貫通穴７１ｃが設けられている。上板７１ａの裏面の略中央部には、貫通穴７１ｃと略同軸上にナット７１ｄが固定されている。
【００２１】
上板７１ａの長手方向（前後方向）の長さは、枠体６のスライド片６１ｅ間の長さより短い例えばやや短い寸法で形成されている。両側板７１ｂの長手方向（前後方向）の長さは、枠体６のスライド片６１ｅ間の長さより長い例えばスライド片６１ｅの下面の外側端部間の長さより若干短い寸法で形成されている。すなわち、側板７１ｂの長手方向の両端が上板７１ａより長手方向に突出して形成されている。側板７１ｂの上板７１ａより突出している箇所の上端面は、上板７１ａの上面との間の長さがスライド片６１ｅの厚さより短い寸法で形成されている。すなわち、側板７１ｂの上端面が枠体６のスライド片６１ｅの下面に当接する当接面７１ｅとして形成されている。側板７１ｂの両側近傍であって、上面から見たとき、後述するように蓋９で枠体６の開口６０の一部を覆って枠体６の側枠６１と蓋９との間に形成されるスリット状の配線用開口部１０の前後方向の略中央の位置には、コード保持部材８を取り付けるための取付穴７１ｆがそれぞれ設けられている。
【００２２】
コード保持部材８は、配線用開口部１０を通す全てのコード特に電源用のコード１８をコード１８の長手方向に移動可能に保持するものである。コード保持部材８としては、コード１８を移動可能に保持することができればその構造は特に限定されないが、例えば、取付穴７１ｆに挿入されて装着される装着部８ａとコード１８を保持する保持部８ｂとから弾性変形可能な材料で形成されている。装着部８ａは、取付穴７１ｆに挿入されて装着されるものであれば特に限定されない。保持部８ｂは、例えば、コ字状の両側部８ｃの先端を内側（互いに対向する側）に略直角に折り曲げて可撓可能な係合片８ｄとして形成し、これら係合片８ｄを、先端が互いに近接する長さで、かつ、係合片８ｄの先端を内側に湾曲させて形成されている。すなわち、コード保持部材８は、おおよそ長辺の中央が切断された略矩形筒体状に形成され、この中央が切断されて形成されて２つの片が係合片８ｄとして形成されている。コード保持部材８の大きさ、特に、２つの係合片８ｄの湾曲された先端と対向する基部との間の長さは、コード１８を２つの係合片８ｄの先端に押し付けて係合片８ｄ及び両側部８ｃが付勢力に抗して可撓し、この２つの係合片８ｄの間からコード保持部材８内にコード１８が押し込められ、このとき、２つの係合片８ｄ及び両側部８ｃが付勢力によって元の形状に復帰し得るように設定されている。
【００２３】
また、コード保持部材８は、コード１８の長手方向の移動を許容するが、当該コード１８の先端に設けられた電子機器例えばノートパソコンへ接続されるコネクタ１７又はこのコード１８の外周に取り付けられたフェライトコアなどの取付部材が接触してコード１８の抜け落ちを防止し得る形状及び大きさで形成されている。さらに、コード保持部材８は、コネクタ１７又は取付部材がコード保持部材８に接触してコード１８の抜け落ちが防止された状態でコネクタ１７が配線用開口部１０から外部に突出するか又は配線用開口部１０内に位置されるように配置されていることが好ましい。具体的には例えば、コード保持部材８は、移動体７の両側板７１ｂに合計４つ取り付けられたとき、コネクタ１７が配線用開口部１０から外部に突出するか又は配線用開口部１０内に位置されるように配置されている。これら４つのコード保持部材８は、上面から見たとき、後述するように蓋９で枠体６の開口６０の一部を覆って枠体６の側枠６１と蓋９との間に形成されるスリット状の配線用開口部１０内に各コード保持部材８の保持部８ｂの開口の全部又は略全部が位置されるように形成されている。なお、コード保持部材８は、移動体７に４つ取り付けたが、これに限定されず、移動体７に取り付ける個数は、１つでも２つでも３つでも５つ以上でもよい。また、コード保持部材８は、配線用開口部１０に対する個数も特に限定されず、１つでも２つ以上でもよい。
【００２４】
第２受け具７２は、例えば金属製で前後方向に長い矩形平板状に形成されている。第２受け具７２の前後方向の長さは、枠体６のスライド片６１ｅ間の長さより長く、かつ、枠体６の下片の内面間の長さより短い、例えば、下片の内面間の長さより若干短い寸法で形成されている。第２受け具７２の幅方向の長さは、例えば、第１金具の上板７１ａの幅方向の長さより若干短い寸法で形成されている。第２受け具７２の前後方向及び幅方向の略中央部には、貫通穴７２ｃが設けられている。第２受け具７２の厚さは、枠体６の下片の内面の高さ方向の長さより短い寸法で形成されている。
【００２５】
これにより、第２受け具７２は、枠体６の２つの側枠６１の下片６１ｃの内面間であって２つのスライド片６１ｅの上方の空間に枠体６の端部から挿入可能で、かつ、挿入されたときスライド片６１ｅの上面を摺動（スライド）し得るようになっている。すなわち、第２受け具７２は、枠体６の長手方向にスライド可能に支持されるようになっている。また、例えば、図６（ｃ）に示すように、天板３に取り付けた枠体６にスライド可能に支持させた第２受け具７２の貫通穴７２ｃに対して第１受け具７１を下方から貫通穴７１ｃを略同軸上に位置決めした状態で近接させてから例えば頭部が第２受け具７２の貫通穴７２ｃより大径の締付部材例えばビス７３を上方から第２受け具７２の貫通穴７２ｃ及び第１受け具７１の貫通穴７１ｃを通してから第１受け具７１のナット７１ｄに螺合させることで、図６（ｄ）に示すように、移動体７が形成されるようになっている。移動体７は、ビス７３の締め付けを緩めることで、枠体６の長手方向にスライド可能（移動可能）で、かつ、ビス７３の締め付けにより、第１受け具７１の当接面７１ｅと第２受け具７２の端部とがスライド片６１ｅを挟持して任意の位置に取り付けることができるようになっている（図４参照。）。
【００２６】
また、第２受け具７２の一方の側端部の中央部は、図４〜図７に示すように、下方に延びる係止片７２ａが設けられている。第２受け具７２は、係止片７２ａとで断面Ｌ字状に形成されている。係止片７２ａの前後方向の長さは、上面から見たとき、装着された蓋９によって隠れるような長さ、すなわち、蓋９の前後方向（幅）の長さより短く、例えば、やや短い寸法で形成されている。係止片７２ａは、内面（第１受け具７１の側板７１ｂに対向する側の面）が第１受け具７１の側板７１ｂに近接又は接触するように形成されていることが好ましい。これにより、第２受け具７２の貫通穴７２ｃを通して第１受け具７１のナット７１ｄにビス７３を螺合させるとき、第１受け具７１の側板７１ｂが第２受け具７２の係止片７２ａに接触して第２受け具７２に対して第１受け具７１の回転が防止されるようになっている。
【００２７】
蓋９は、下方が開口された断面コ字状に細長に形成されている。蓋９の両側部の下端は、互いに対向する側に略直角に折り曲げられて載置片９ａとしてそれぞれ形成されている。載置片９ａの先端は、さらに上方に略直角に折り曲げられている。この蓋９の２つの載置片９ａの長さは、例えば、蓋９の２つの載置片９ａ間の長さが枠体６の位置決め部６２ｂの前後方向の長さより若干長くなるような寸法で形成されている。蓋９の長手方向の長さは、枠体６の底片６２ａの先端間の長さより長く、かつ、枠体６の端枠６２の内面間の長さより短い、例えば、枠体６の端枠６２の内面間の長さより若干短い寸法で形成されていることが好ましい。すなわち、蓋９の長手方向の長さは、長手方向の両端が枠体６の２つの端枠６２の底片６２ａに載置し得る寸法で形成されている。これにより、蓋９は、前後方向の中央が枠体６の前後方向の略中央に位置決めされた状態で枠体６の底片６２ａに載置片９ａが接触して載置されるようになっている（図５参照。）。すなわち、蓋９は、枠体６の開口６０内に開口６０の前後方向の中央部を塞ぐように載置されるようになっている。また、蓋９の高さは、特に限定されないが、枠体６内に載置されたとき、蓋９の上面と側枠６１の上片６１ａの上面とが略同一平面上になるような寸法で形成されていることが好ましい。
【００２８】
また、蓋９の前後方向の長さは、蓋９の両側部と枠体６の２つの側枠６１との間に電子機器例えばノートパソコンの充電用のアダプタのコード１８やそのノートパソコンに接続される充電用のコード１８以外のコード、そのノートパソコン以外の別の電子機器に接続されるコードの３種類のコードが通り得る寸法で形成されている。すなわち、図１、図２、図４及び図５に示すように、蓋９の両側部と枠体６の２つの側枠６１との間にターミナル本体１ａの内部と外部を連通してコード１８が配線される空間つまりスリット状の配線用開口部１０が形成される。配線用開口部１０の前後方向の長さ、つまり、蓋９の前後方向の長さは、３種類のコードが通り得る寸法であれば特に限定されず、コードが通る程度の寸法で形成されていることが好ましい。コードが通る程度の寸法とは、３種類のコード及び３種類のコードのすべてのコネクタ１７や３種類のコードの外周に取り付けられたフェライトコア等の取付部材が配線用開口部１０を通り得る最小の寸法及びこの寸法より若干長い寸法であってもよいが、３種類のコードが通り得る寸法であって３種類のコードのすべてのコネクタ１７や３種類のコードの外周に取り付けられたフェライトコア等の取付部材が配線用開口部１０を通らない寸法であることが好ましい。具体的には例えば、蓋９の前後方向の長さは、上面から見たとき、枠体６の開口６０の一部を覆って枠体６の側枠６１との間に形成されるスリット状の配線用開口部１０内に各コード保持部材８の開口の全部又は略全部が位置されるように形成されている。
【００２９】
次に、本実施形態のカートターミナル１の作用を説明する。まず、周囲にナースカートが止められる床面Ｆ上の所望の位置にカートターミナル１を移動させた後に、ストッパ２９によりカートターミナル１をその位置に固定する。電源コード例えばＯＡタップ１５のコンセント１５ｂを床面Ｆのコンセント１９に接続し、ＯＡタップ１５のタップ本体１５ａをカートターミナル１の下方からカートターミナル１内を移動してトレイ４上に置く。このとき、ＯＡタップ１５の配線は、前面パネル２６を外した状態で行い、また、垂直フレーム２３内をはわせるようにしてもよい。トレイ４上に置いたＯＡタップ１５のタップ本体１５ａに、周囲に止められるナースカートに搭載されるノートパソコンを充電するためのアダプタ１６のコンセント１６ｂを接続し、アダプタ本体１６ａをトレイ４上に置く。アダプタ本体１６ａとノートパソコンに接続されるコネクタ１７とを結ぶ電源用のコード１８を移動体７のコード保持部材８に保持させ、かつ、コネクタ１７及びコネクタ１７の近傍のコード１８の外周にフェライトコアなどの取付部材が取り付けられている場合には取付部材を配線用開口部１０（又は枠体６の開口６０）を通して天板３より上方に位置させる。
【００３０】
このとき、蓋９は、枠体６に載置（装着）せずに、コネクタ１７（及び取付部材）を枠体６の開口６０を通してから、枠体６に載置することで、コネクタ１７（及び取付部材）が配線用開口部１０を通った状態になる。すなわち、コード１８が配線用開口部１０を通って配線されることになる。これにより、コネクタ１７を配線用開口部１０に通す作業が容易となる。この天板３上に位置させたコネクタ１７に外力が作用しないと、コネクタ１７は天板３上にそのままその位置に位置するか、又は、コード１８の自重によりコード１８がカートターミナル１内を下方に移動することもあるが、この場合、コネクタ１７（や取付部材）がコード保持部材８に接触してコネクタ１７が配線用開口部１０に落ちることもなく外部に突出するか又は配線用開口部１０内に位置された状態になる。また、コード保持部材８は、トレイ４より上方で配線用開口部１０より下方、すなわち、上面から見たとき、コード保持部材８がトレイ４及び配線用開口部１０に重なり合っているので、コード１８の配線が容易に行え、かつ、コード１８が極度に曲がったりよれたりすることがなくコード１８の配線を行える。
【００３１】
このように、充電用のコード１８がコード保持部材８によって移動可能に保持され、かつ、このコード１８のコネクタ１７が配線用開口部１０に落ちることもなく外部に突出するか又は配線用開口部１０内に位置されるので、常に容易にコネクタ１７を指で掴め、かつ、このコネクタ１７をコード１８を介して配線用開口部１０から引き出せる。このとき、配線用開口部１０がコネクタや取付部材を通さない大きさで形成されていると、コネクタ１７が常に天板３から上方に突出しているので、コネクタ１７を指で一層容易に掴むことができる。また、トレイ４、コード保持部材８及び配線用開口部１０が高さ方向に順次配置されている、すなわち、上面から見たとき、トレイ４、コード保持部材８及び配線用開口部１０が重なり合っているので、コード１８の引き出しを容易に行える。よって、カートターミナル１の周囲にナースカートを止めてからこのナースカートに載置されたノートパソコンの充電を行う際には、コネクタ１７を簡単に指で掴めさらにコネクタ及びコードを配線用開口部１０から引き出せるので、ノートパソコンに簡単に接続することができ、ノートパソコンの充電を簡単に行える。また、充電用のコード１８と同様に充電用コード以外のコード例えば外部通信用のコードをコード保持部材８に保持させ、かつ、このコードのコネクタを配線用開口部１０から天板３より位置させることで、例えばノートパソコンに簡単に接続することができる。さらに、ナースカートに載置されたり搭載されたりするノートパソコン以外の別の電子機器やナースカート以外のカートターミナル１の周囲に位置される電子機器に接続するコードをコード保持部材８に保持させ、かつ、このコードのコネクタを配線用開口部１０から天板３より位置させることで、電子機器に簡単に接続することが可能となる。
【００３２】
したがって、本実施形態のカートターミナル１は、コード１８を移動可能に保持しかつコネクタ１７が配線用開口部１０に落ちることもなく外部に突出するか又は配線用開口部１０内に位置するコード保持部材８を設けたので、コネクタ１７が配線用開口部１０からターミナル本体１ａ内に落下することが防止される。その結果、充電用のコネクタ１７をナースカートに載置された電子機器等に簡単に接続することができる。
【００３３】
スリット状の配線用開口部１０の長手方向に沿って移動体７を移動可能に設け、この移動体７にコード保持部材８を設けたことで、ビス７３の締め付けを緩めることで、移動体７を介してコード保持部材８を移動させることができるとともに、ビス７３の締め付けにより任意の位置に固定した状態でコード保持部材８を配置することができるので、カートターミナル１の周囲に止めるナースカートの配置や大きさに応じてコード保持部材８の位置を任意に移動させることができる。また、移動体７に２つ以上例えば４つのコード保持部材８を取り付けることで、コード１８が絡み合うこともないし、またコード１８が通る箇所をまとめることができる。この場合、配線用開口部１０を２つ以上例えば２つ設けることで、コード１８が一層絡み合うこともない。
【００３４】
配線用開口部１０が、カートターミナル１内に手を挿入し得る大きさの開口６０の一部を取り外し可能な蓋９で覆って形成することで、開口６０にコード１８を通すとき手を外から内へ通して行え、開口６０にコード１８を通してから開口６０の一部を蓋９で覆うことで、コード１８が配線用開口部１０に通されたことになるので、コード１８を通す作業を容易に行える。また、トレイ４が開口６０から手を挿入して接し得る箇所に配置されていることで、例えば、アダプタの交換や追加、トレイ４上の使わなくなった機器の取り出しや別の機器のトレイ４上への配置を行う際に、蓋９を枠体６の開口６０から取り外してこの開口６０に手を入れて行えるので、アダプタ１６の交換や追加、機器の取り外しや設置を容易に行える。
【００３５】
また、図６に示すように、まず、枠体６を天板３の嵌合穴３１に嵌合して取り付ける。次に、この枠体６に第２受け具７２を移動可能に支持させてから、この第２受け具７２に、コード保持部材８が取り付けられた第１受け具７１を取り付ける。そして、枠体６に蓋９を載置して装着し配線用開口部１０を形成するが、枠体６と移動体７とコード保持部材８と蓋９とでコード取出ユニット５を形成し、このコード取出ユニット５を天板３に取り付けるようにしてもよい。すなわち、まず、枠体６に第２受け具７２を移動可能に支持させ、この第２受け具７２にコード保持部材８が取り付けられた第１受け具７１を取り付け、この枠体６に蓋９を載置して、コード取出ユニット５を形成する。このとき、粘着テープ等で蓋９が枠体６から簡単に外れないようにしておくことが好ましい。次に、このコード取出ユニット５を天板３の嵌合穴３１に嵌合して取り付けて、配線用開口部１０を形成するようにしてもよい。これにより、枠体６とコード保持部材８を含む移動体７とを天板３に順に取り付ける際に必要となる天板３の下すなわちカートターミナル１内での作業が不要となり、配線用開口部１０を簡単に形成することができる。また、移動体７やコード保持部材８等のメンテナンスを容易に行える。なお、枠体６と移動体７とコード保持部材８とでコード取出ユニットを形成し、このコード取出ユニットを天板３に取り付けてから、蓋９を装着するようにしてもよい。
【符号の説明】
【００３６】
１  カートターミナル（什器）
１ａ  ターミナル本体（什器本体）
３  天板
４  トレイ
５  コード取出ユニット
６  枠体
７  移動体
８  コード保持部材
９  蓋
１０  配線用開口部
１７  コネクタ
１８  コード
６０  開口
７１  第１受け具
７２  第２受け具
７３  ビス
【図１】
0005992720.tif 000002
【図２】
0005992720.tif 000003
【図３】
0005992720.tif 000004
【図４】
0005992720.tif 000005
【図５】
0005992720.tif 000006
【図６】
0005992720.tif 000007
【図７】
0005992720.tif 000008